【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
窓を介して視認可能とされた内部空間を形成する遊戯機筐体と、
前記内部空間の外部にてメダルを重ねて収める受け部と、
前記受け部に重ねて収められたメダルのうち最下部のメダルを押し出す押し出し部材と、
前記押し出し部材にて押し出された前記メダルを通過させるメダル通路と、
前記メダル通路の終端部に設けられ前記メダルを前記内部空間内に打ち出す打ち出し部とを有する、前記遊戯機筐体に回動自在に支持されたメダル打ち出し機構と、
前記内部空間内であって前記打ち出し機構によって打ち出されたメダルを受け入れることが可能な移動可能に設けられたメダル受け入れ手段と、
前記メダル受け入れ手段へのメダルの投入を検出するメダル投入検出手段と、
前記メダル投入検出手段の動作に基づき所定のメダル大量排出処理の実施に関する決定を行なう演算手段と、
よりなるゲーム装置。
【請求項２】
窓を介して視認可能とされた内部空間を形成する遊戯機筐体と、
回動自在に支持されプレイヤが操作する操作レバーと、
その一端が操作レバーと係合し第１の弾性部材によって所定方向に付勢され操作レバーを所定の回動角度位置まで回動させる伝達部材と、
凹部を有し、第２の弾性部材によって上記所定方向に付勢されており、操作レバーと係合する所定物体受け部材と、
回動自在に支持され伝達部材の他端に当接することによって自重で所定の回動角度位置に維持される打ち出し部材と、
所定物体受け部材と打ち出し部材との間に亘って設けられ所定物体受け部材によって押し出された所定の物体を打ち出し部材の位置まで通過させる所定物体通路とよりなり、打ち出し部には打撃部が設けられ、打撃部は打ち出し部が上記所定の回動角度位置に維持されている際に所定物体通路上に突出しており、プレイヤは所定物体受け部材に所定物体をセットした後、第１の弾性部材の弾性力に抗して伝達部材を上記所定の方向と逆の方向に移動させながら操作レバーを回動させ、その結果第２の弾性部材の弾性力に抗して所定物体受け部材が所定の方向と逆の方向に移動され、もって予め所定物体受け部材にセットされていた所定の物体は所定物体受け部材に設けられた凹部に落下し、同時に上記の伝達部材の所定方向と逆の方向の移動に伴って伝達部材の他端に当接していた打ち出し部が自重によって回動し、もってその打撃部が所定物体通路から引き抜かれ、もって既に打撃部によってそこに停止させられていた所定の物体があればその所定の物体を所定の方向に移動させ、次にプレイヤが操作レバーを放すと第１の弾性部材の弾性力によって伝達部材は上記所定の方向に移動し、その結果操作レバーは上記所定の回動角度位置まで回動され、これによって所定物体受け部材は第２の弾性部材の弾性力によって上記所定の方向に移動し上記の所定物体受け部材の凹部に落下していた所定の物体を所定の方向に押し出し、このように押し出された所定の物体は打ち出し部材の打撃部の位置まで移動し、他方伝達部材の所定の方向の移動によって打ち出し部は伝達部材の他端に押圧されて回動され、その結果その打撃部は所定物体通路上に突出し、もって打撃部が引き抜かれた際に所定の方向に移動していた所定の物体があればそれを外部に打ち出す打ち出し機構と、
前記内部空間内であって前記打ち出し機構によって打ち出された所定の物体を受け入れることが可能な移動可能に設けられた所定の物体受け入れ手段と、
前記所定の物体受け入れ手段への所定の物体の投入を検出する所定の物体投入検出手段と、
前記所定の物体投入検出手段に動作に基づき所定の物体大量排出処理の実施に関する決定を行なう演算手段と、
よりなるゲーム装置。
【請求項３】
前記演算手段が前記メダル大量排出処理又は所定の物体大量排出処理の実施を決定した場合に予め用意されたメダル又は所定の物体を排出する排出手段を更に有する請求項1又は2に記載のゲーム装置。
【手続補正２】
【補正対象書類名】明細書
【補正対象項目名】０００４
【補正方法】変更
【補正の内容】
【０００４】
【課題を解決するための手段】
この目的を達成するために発明した本発明によるゲーム装置は、窓を介して視認可能とされた内部空間を形成する遊戯機筐体と、前記内部空間の外部にてメダルを重ねて収める受け部と、前記受け部に重ねて収められたメダルのうちの最下部のメダルを押し出す押し出し部材と、前記押し出し部材にて押し出されたメダルを通過させるメダル通路と、前記メダル通路の終端部に設けられ前記メダルを前記内部空間内に打ち出す打ち出し部とよりなり、前記遊戯機筐体に回動自在に支持されてなるメダル打ち出し機構と、前記内部空間内であって前記打ち出し機構によって打ち出されたメダルを受け入れることが可能な移動可能に設けられたメダル受け入れ手段と、前記メダル受け入れ手段へのメダルの投入を検出するメダル投入検出手段と、前記メダル投入検出手段に動作に基づき所定のメダル大量排出処理の実施に関する決定を行なう演算手段とよりなる。
或いは本発明によるゲーム装置は、窓を介して視認可能とされた内部空間を形成する遊戯機筐体と、回動自在に支持されプレイヤが操作する操作レバーと、その一端が操作レバーと係合し第１の弾性部材によって所定方向に付勢され操作レバーを所定の回動角度位置まで回動させる伝達部材と、凹部を有し、第２の弾性部材によって上記所定方向に付勢されており、操作レバーと係合する所定物体受け部材と、回動自在に支持され伝達部材の他端に当接することによって自重で所定の回動角度位置に維持される打ち出し部材と、所定物体受け部材と打ち出し部材との間に亘って設けられ所定物体受け部材によって押し出された所定の物体を打ち出し部材の位置まで通過させる所定物体通路とよりなり、打ち出し部には打撃部が設けられ、打撃部は打ち出し部が上記所定の回動角度位置に維持されている際に所定物体通路上に突出しており、プレイヤは所定物体受け部材に所定物体をセットした後、第１の弾性部材の弾性力に抗して伝達部材を上記所定の方向と逆の方向に移動させながら操作レバーを回動させ、その結果第２の弾性部材の弾性力に抗して所定物体受け部材が所定の方向と逆の方向に移動され、もって予め所定物体受け部材にセットされていた所定の物体は所定物体受け部材に設けられた凹部に落下し、同時に上記の伝達部材の所定方向と逆の方向の移動に伴って伝達部材の他端に当接していた打ち出し部が自重によって回動し、もってその打撃部が所定物体通路から引き抜かれ、もって既に打撃部によってそこに停止させられていた所定の物体があればその所定の物体を所定の方向に移動させ、次にプレイヤが操作レバーを放すと第１の弾性部材の弾性力によって伝達部材は上記所定の方向に移動し、その結果操作レバーは上記所定の回動角度位置まで回動され、これによって所定物体受け部材は第２の弾性部材の弾性力によって上記所定の方向に移動し上記の所定物体受け部材の凹部に落下していた所定の物体を所定の方向に押し出し、このように押し出された所定の物体は打ち出し部材の打撃部の位置まで移動し、他方伝達部材の所定の方向の移動によって打ち出し部は伝達部材の他端に押圧されて回動され、その結果その打撃部は所定物体通路上に突出し、打撃部が引き抜かれた際に所定の方向に移動していた所定の物体があればそれを外部に打ち出す打ち出し機構と、前記内部空間内であって前記打ち出し機構によって打ち出された所定の物体を受け入れることが可能な移動可能に設けられた所定の物体受け入れ手段と、前記所定の物体受け入れ手段への所定の物体の投入を検出する所定の物体投入検出手段と、前記所定の物体投入検出手段に動作に基づき所定の物体大量排出処理の実施に関する決定を行なう演算手段とよりなる。
又、前記演算手段が前記メダル大量排出処理又は所定の物体大量排出処理の実施を決定した場合に予め用意されたメダル又は所定の物体を排出する排出手段を更に有することが望ましい。
【手続補正３】
【補正対象書類名】明細書
【補正対象項目名】００４９
【補正方法】変更
【補正の内容】
【００４９】
【発明の効果】
本発明によれば、次々と連続してメダルを打ち出すことが可能な打ち出し機構を設けることによってプレイヤはメダル打ち出し操作を容易に効果的に行なうことが可能となり、もってプレイヤは更にゲームプレイに集中しやすくなる。